(57)【要約】【課題】架台２に給湯器本体１１が載置された給湯装置１では、架台２内に温水を循環させるためのポンプ５を設置する場合がある。ポンプ５を稼働させると給湯管３の他にポンプ５およびその周りの循環用の配管には常に温水が流れるため、保温しなければ熱効率が低下する。給湯管４は比較的単純な形状であるため、断熱材で覆うことが可能であるが、ポンプ５およびその周りの配管は形状が複雑であるため断熱材で覆うことが困難である。【解決手段】架台２の内周面を断熱材で覆うことによって架台２の内部空間全体を保温することとした。【選択図】  図１
2006138491.tif 000002
【特許請求の範囲】
【請求項１】
箱状の架台に給湯装置本体を載置すると共に、給湯装置本体から吐出される温水が流れる給湯管と、この給湯管を通って各所に供給された温水を戻り配管を介してふたたび給湯本体に戻す温水循環用のポンプとを上記架台内に設置した給湯装置において、上記架台の内壁を断熱材で覆ったことを特徴とする給湯装置。
【請求項２】
上記架台の側面には他の給湯装置の架台が連結可能であって、他の給湯器が連結される側の面に取り付けられる断熱材は、配管等の開口が予め形成されていると共に、この開口は連結前の状態で断熱材と同じ材質の蓋体が嵌め込まれて塞がれていることを特徴とする請求項１に記載の給湯装置。
【発明の詳細な説明】
【技術分野】
【０００１】
本発明は、給湯装置本体が載置される箱形の架台を備えた給湯装置に関する。
【背景技術】
【０００２】
従来のこの種の給湯装置は、いわゆる自立型と呼ばれ、自立する箱形の架台と、その架台の上に載置された給湯装置本体とから構成されている。この給湯器本体から温水を吐出する吐出部は給湯装置本体の下面に設けられている。そのため、吐出された温水を室内各所に給湯するための給湯管は、箱形の架台内に設置されている。
【０００３】
また、室内各所に設置された例えばカランやシャワーを開くと直ちに温水が出湯するようにするため、給湯管から給湯された温水を戻り配管を介して給湯装置本体に戻し、常に温水を循環させる場合がある。このように温水を循環させるためにはポンプが必要であるが、そのポンプも上記架台内に収納されている（例えば、特許文献１参照）。
【特許文献１】特開２００３−４２５７１号公報（図１）
【発明の開示】
【発明が解決しようとする課題】
【０００４】
上記従来のものでは、架台内の給湯管および戻り配管からの温水が流れるポンプおよびその周りの配管は架台内にむき出し状態で配置されている。そのため、これら給湯管やポンプから放熱され湯温が低下し、効率が低下する。
【０００５】
このような場合に給湯管はパイプであるため比較的単純な形状をしており、そのため給湯管を断熱材で被覆することも考えられる。しかしながら、ポンプおよびその周りの配管は複雑な形状をしており、かつ配管が複雑に引き回されているため、ポンプおよびその周りの配管を効率よく直接断熱材で覆うことはきわめて困難である。そのため、例え給湯管を断熱材で覆ったとしても放熱を十分に抑制することができない。
【０００６】
そこで本発明は、上記の問題点に鑑み、ポンプを架台内に備えている給湯装置であっても有効に架台内を断熱することのできる給湯装置を提供することを課題とする。
【課題を解決するための手段】
【０００７】
上記課題を解決するために本発明による給湯装置は、箱状の架台に給湯装置本体を載置すると共に、給湯装置本体から吐出される温水が流れる給湯管と、この給湯管を通って各所に供給された温水を戻り配管を介してふたたび給湯装置本体に戻す温水循環用のポンプとを上記架台内に設置した給湯装置において、上記架台の内壁を断熱材で覆ったことを特徴とする。
【０００８】
給湯管やポンプおよびその周りの配管を直接断熱材で覆うのではなく、架台の内壁を断熱材で覆うことにより架台内のスペース全体を断熱することとした。給湯管およびポンプおよびその周りの配管は架台内に取り付けられているので、架台内の空間全体を断熱することより給湯管やポンプおよびその周りの配管を断熱することができる。
【０００９】
ところで、給湯装置を１台単独で使用する場合のほか、複数台を連結して給湯能力の大きな大型給湯装置をして機能させる場合がある。この場合、上記架台の側面には他の給湯装置の架台が連結可能であって、他の給湯器が連結される側の面に取り付けられる断熱材は、配管等の開口が予め形成されていると共に、この開口は連結前の状態で断熱材と同じ材質の蓋体が嵌め込まれて塞がれていれば、１台単独で使用する場合には蓋体で開口が塞がれ、断熱性が損なわれることがなく、他の給湯装置を連結する際には、蓋体を取り除くだけで断熱材が邪魔になることなく連結工事を行うことができる。
【発明の効果】
【００１０】
以上の説明から明らかなように、本発明は、給湯装置本体が載置される架台内に給湯管や温水循環用のポンプ等が配設され、架台内に温水が複雑な経路で流れるように構成されていても、架台全体を断熱することにより、温水が流れる経路からの放熱を抑制し、給湯装置の効率が損なわれることを防止できる。
【発明を実施するための最良の形態】
【００１１】
図１を参照して、１は本発明による給湯装置であり、金属製の枠状の架台２に給湯装置本体１１が載置されている。この給湯装置１には複数の連結給湯装置６が連結されており、給水本管３１を通して外部から水が給水される給水管３が、架台２内に収納されている。各給湯装置１，６はこの給水管３から給水される水を加熱して温水とし、給湯管４に吐出する。この給湯管４は給水管３と同じく架台２内に収納されている。そして、給湯管４内の温水は給湯本管４１を介して例えば厨房や浴室等へと送られる。
【００１２】
給湯本管４１の先端は戻り配管４２に連結されている。この戻り配管４２は給湯装置１の架台２内に配設された循環用のポンプ５に接続されている。そして給湯管４から給湯本管４１へと送り出された温水は戻り配管４２を通ってこのポンプ５によって常に循環するように構成されている。
【００１３】
戻り配管４２を通って戻ってきた温水は温度が低下しているので、各給湯装置１，６でふたたび加熱して給湯管４から給湯本管４１へと送り出される。この結果、給湯本管４１から戻り配管４２に繋がる循環経路には常に温水が循環しており、例えば給湯本管４１の途中に設けられた吐出口（図示せず）を開放することによって、直ちに温水を吐出させることができる。このポンプ５は給湯装置１の架台２に設置しており、他の給湯装置６にはポンプを設置していない。
【００１４】
架台２内の給湯管４と、ポンプ５およびその周りの循環用配管には常に温水が流れている。給湯本管４１や戻り配管４２は断熱材で被覆して保温処理を施し、給湯本管４１や戻り配管４２からの放熱を抑制している。また、ポンプ５を備えていない給湯装置６では、架台内の給湯管４を断熱材で覆って保温処理を施している。
【００１５】
これに対して、給湯装置１では架台２内の給湯管４を他の給湯装置６と同じように断熱材で覆うことによって断熱処置を施すことは可能である。ところが、ポンプ５およびその周りの循環用配管は比較的細い複数の配管が入り組んでおり、ポンプ５を含めてこれらの配管すべてを断熱材で覆うためには多くの工数を要する。
【００１６】
そこで、架台２内にポンプ５が設置されている給湯装置１では給湯管４やポンプ５およびその周りの循環用配管を個別に断熱するのではなく、架台２全体を断熱することとした。すなわち、架台２の内周面を断熱材で覆うこととした。ここで、内周面とは架台２の左右両側面、上下面、後面を言う。また、前面は後述する蓋板２１に断熱材を設けることとした。
【００１７】
図２を参照して、この架台２は前方に開口し、その開口を蓋板２１で閉鎖するが、この蓋板２１の内周面にも断熱材を取り付けた。また、架台２の側面には他の給湯装置６を連結した際に給水管３および給湯管４を延長して配管するため、開口２２が設けられている。この開口２２は他の給湯装置６を連結しない状態では蓋板２３で覆われているが、この蓋板２３の内周面には断熱材を取り付けずに、断熱材２５を架台２の内周面に取り付けて開口２２を、断熱材２５で開口２２の内側から塞ぐようにした。この断熱材２５は板状のウレタンフォーム等の発泡性樹脂で形成されている。
【００１８】
図３を参照して、この断熱材２５には断熱材２５を貫通する切り込み２６が２個所に形成されている。この切り込み２６は上部２７には形成されておらず、架台２の内側から押すと切り込み２６で切断された蓋体２８が外側に外れて、給水管３および給湯管４の配管用の貫通口が形成されるようにした。なお、上部２７には切り込み２６が形成されていないので蓋体２８は断熱材２５から切り離されることはない。
【００１９】
このように、給水管３および給湯管４を延長して配管するときに、断熱材２５を除去することなく、必要最小限の大きさの貫通口を形成することにより、架台２内の断熱性が損なわれないようにした。また、他の給湯装置６を連結しない状態ではこれら配管用の貫通口は蓋体２８で閉鎖されているので、更に架台２内の断熱性を上げることができる。
【００２０】
なお、本実施の形態では蓋体２８は断熱材２５の一部として取り外すことができないようにしたが、切り込み２６を環状に形成して、蓋体２８が断熱材２５から取り外すことができるように構成してもよい。
【００２１】
なお、本発明は上記した形態に限定されるものではなく、本発明の要旨を逸脱しない範囲内において種々の変更を加えてもかまわない。
【図面の簡単な説明】
【００２２】
【図１】本発明の一実施の形態の構成を示す図
【図２】給湯装置の側面を示す図
【図３】断熱材の詳細を示す図
【符号の説明】
【００２３】
１  給湯装置
２  架台
３  給水管
４  給湯管
５  ポンプ
６  給湯装置
２５  断熱材
【図１】
2006138491.tif 000003
【図２】
2006138491.tif 000004
【図３】
2006138491.tif 000005